【手続補正書】
【提出日】平成29年10月4日(2017.10.4)
【手続補正１】
【補正対象書類名】特許請求の範囲
【補正対象項目名】全文
【補正方法】変更
【補正の内容】
【特許請求の範囲】
【請求項１】
処理対象の画素の量子化前データを比較用閾値と比較することによって、前記量子化前データよりも階調レベル数が小さい量子化データを生成する量子化部と、
ｉ）前記量子化部によって生成された前記量子化データと前記量子化前データとの誤差を入力するための第１の誤差入力部と、ｉｉ）前記比較用閾値と、画素の配列に応じた閾値を定める閾値マトリクスに配置された前記処理対象の画素に対応する元閾値と、の差分に対応する値を記憶するメモリと、を有し、前記処理対象の画素の入力画像データの値を調整するために前記第１の誤差入力部に入力された前記誤差を利用せずに、前記差分に対応する値を前記処理対象の画素の入力画像データの値に加算するための加算用データとして生成する生成部と、
前記生成部によって生成された前記加算用データの値を前記処理対象の画素の入力画像データに加算し、前記加算用データの値が加算された入力画像データを前記量子化前データとして前記量子化部に出力する処理部と、
を備えることを特徴とする画像処理装置。
【請求項２】
前記生成部が有する前記メモリは、画像中の各画素の前記差分に対応する値を配列したマトリクスを記憶することを特徴とする請求項１に記載の画像処理装置。
【請求項３】
前記量子化部によって生成された前記量子化データと前記量子化前データとの誤差を算出する誤差算出部を更に備え、
前記誤差算出部は、算出した誤差を、その値をキャンセルして前記生成部のための誤差データとして出力し、前記生成部の前記第１の誤差入力部には前記誤差データが入力されることを特徴とする請求項１または２に記載の画像処理装置。
【請求項４】
前記処理対象の画素の画像データは、複数の異なる色の記録材によって媒体上に再現され、
前記処理部は、前記量子化部によって生成された前記量子化データと前記量子化前データとの誤差を入力するための第２の誤差入力部を有し、前記処理対象の画素を記録するための第１の色についての処理を行い、その後に同じ前記処理対象の画素を記録するための第２の色についての処理を行い、かつ、前記処理部の前記第２の誤差入力部に入力された、前記量子化部が処理対象画素の前記第１の色の入力画像データについての処理を行うことで生じた誤差を、当該処理対象の画素の前記第２の色の入力画像データに加算することを特徴とする請求項１または２に記載の画像処理装置。
【請求項５】
前記量子化部によって生成された前記量子化データと前記量子化前データとの誤差を算出する誤差算出部を更に備え、
前記誤差算出部は、算出した誤差を前記処理部のための第１の誤差データとして出力し、前記処理部は、前記第２の誤差入力部に入力された前記第１の誤差データを利用して入力画像データの処理を行うことを特徴とする請求項４に記載の画像処理装置。
【請求項６】
前記誤差算出部は、
前記第１の色に対する前記量子化部による処理で生じた第１の色の誤差を前記第２の色に対する前記量子化部による処理で利用する場合には、前記第１の色の誤差をキャンセルせずに前記処理部のための前記第１の誤差データとして出力し、
前記第１の色に対する前記量子化部による処理で生じた第１の色の誤差を前記第２の色に対する前記量子化部による処理で利用しない場合には、前記第１の色の誤差をキャンセルして前記処理部のための第１の誤差データとして出力することを特徴とする請求項５に記載の画像処理装置。
【請求項７】
前記誤差算出部は、算出した誤差をキャンセルして前記生成部のための第２の誤差データとして出力し、前記生成部の前記第１の誤差入力部には前記第２の誤差データが入力されることを特徴とする請求項５または６に記載の画像処理装置。
【請求項８】
前記画像処理装置は、誤差拡散処理を行う第１の画像処理モードとディザ処理を行う第２の画像処理モードとを実行可能であり、
前記第１の画像処理モードでは、前記誤差算出部は算出した誤差をキャンセルせずに前記生成部のための誤差データとして出力し、前記生成部の前記第１の誤差入力部には前記誤差データが入力され、前記生成部は前記生成部の前記第１の誤差入力部に入力された、第１の画素の第１の色についての誤差を、前記第１の画素より後に処理を行う第２の画素の前記第１の色のデータの値の色に使用し、
前記第２の画像処理モードでは、前記誤差算出部は算出した誤差を、その値をキャンセルして前記生成部のための誤差データとして出力することを特徴とする請求項３に記載の画像処理装置。
【請求項９】
前記第１の画像処理モードは画質優先モードであり、前記第２の画像処理モードは記録速度優先モードであることを特徴とする請求項８に記載の画像処理装置。
【請求項１０】
前記生成部は、第１のアクセス速度と第１の容量を有する高速メモリと、前記第１のアクセス速度より遅い第２のアクセス速度と前記第１の容量より大きい第２の容量を有する大容量メモリと、をそれぞれ用い、前記高速メモリを、第１の画像処理モードの場合には３つの領域に、第２の画像処理モードの場合には２つの領域に、それぞれ分割し、前記領域の単位で前記大容量メモリとの間のアクセスを行わせることを特徴とする請求項８または９に記載の画像処理装置。
【請求項１１】
入力画像データは所定数の画素からなる入力ブロックごとに処理され、
前記量子化部は、前記入力ブロックのそれぞれについて、前記第１の画像処理モードの場合は色ごとに、前記第２の画像処理モードの場合は画素ごとに処理を行うことを特徴とする請求項８から１０のいずれか１項に記載の画像処理装置。
【請求項１２】
前記量子化部は、前記量子化前データに基づいて前記量子化前データよりも階調レベル数が小さい３値以上の前記量子化データを生成することを特徴とする請求項１から１１のいずれか１項に記載の画像処理装置。
【請求項１３】
前記量子化部が生成した前記量子化データに従って、記録媒体に色材を付与することにより記録を行う記録部を更に有することを特徴とする請求項１から１２のいずれか１項に記載の画像処理装置。
【請求項１４】
前記記録部はインクを吐出するインクジェット記録ヘッドを有することを特徴とする請求項１３に記載の画像処理装置。
【請求項１５】
前記記録部は、電子写真方式によって記録媒体に記録を行うことを特徴とする請求項１３に記載の画像処理装置。
【手続補正２】
【補正対象書類名】明細書
【補正対象項目名】発明の名称
【補正方法】変更
【補正の内容】
【発明の名称】画像処理装置
【手続補正３】
【補正対象書類名】明細書
【補正対象項目名】０００１
【補正方法】変更
【補正の内容】
【０００１】
本発明は、画像処理装置に関し、詳しくは、誤差拡散法とディザ法による量子化処理を共通の回路を用いて実行する技術に関するものである。
【手続補正４】
【補正対象書類名】明細書
【補正対象項目名】０００６
【補正方法】変更
【補正の内容】
【０００６】
そのために本発明は、処理対象画素の量子化前データを比較用閾値と比較することによって、前記量子化前データよりも階調レベル数が小さい量子化データを生成する量子化部と、ｉ）前記量子化部によって生成された前記量子化データと前記量子化前データとの誤差を入力するための第１の誤差入力部と、ｉｉ）前記比較用閾値と、画素の配列に応じた閾値を定める閾値マトリクスに配置された前記処理対象の画素に対応する元閾値と、の差分に対応する値を記憶するメモリと、を有し、前記処理対象の画素の入力画像データの値を調整するために前記第１の誤差入力部に入力された前記誤差を利用せずに、前記差分に対応する値を前記処理対象の画素の入力画像データの値に加算するための加算用データとして生成する生成部と、前記生成部によって生成された前記加算用データの値を前記処理対象の画素の入力画像データに加算し、前記加算用データの値が加算された入力画像データを前記量子化前データとして前記量子化部に出力する処理部と、
を備えることを特徴とする。